(57)【特許請求の範囲】
【請求項１】
クランク軸(３)と変速機(４)を支持し、下部にオイルパン(61)を備えた内燃機関(１)のクランクケース(２)における、前記オイルパン(61)内のオイルをオイルポンプ(62)によって吸引するオイル吸入口(66)を同オイルパン(61)の底部に備えたクランクケース構造において、
前記クランク軸(３)または前記変速機(４)を潤滑したオイルを前記オイルパン(61)に戻すオイル戻り口(74)を備え、かつ、前記クランク軸(３)と前記オイルパン(61)、または前記変速機(４)と前記オイルパン(61)との間を仕切る隔壁(71L, 71R, 72L, 72R)と、
少なくともその一部が、前記オイルパン(61)に適正量貯留されたオイルの内燃機関停止時のオイル面(Ｓ)より上部に配置されるとともに、前記変速機(４)の被動歯車列(45)に沿う上部壁(73L, 73R, 173L, 173R, 273L, 273R, 473bL, 473bR)を有し、オイル内への埋没時にオイルを排除してオイル面の低下を抑制するオイル排除部(78, 78’,178, 278, 378, 478)と、
前記クランク軸(３)を回転可能に支持する第１鉛直壁(21R)および第２鉛直壁(21L)からなる前記クランクケース(２)の一対の鉛直壁と、
前記オイル排除部(78, 78’,178, 278, 378, 478)の上縁に沿って前記第１鉛直壁(21R)に形成された開口により構成され、前記オイル排除部(78, 78’,178, 278, 378, 478)周辺のオイルを、前記第１鉛直壁(21R)と同第１鉛直壁(21R)の外側に設けられた第１カバー(25R)とから形成される第１側室(26R)内に排出するオイル戻し穴(60, 75)と、
前記隔壁(71L, 71R, 72L, 72R)よりも下方において、前記第１鉛直壁(21R)に形成された開口により構成され、前記第１側室(26R)内のオイルを前記オイルパン(61)に戻すオイルパン連通孔(76)と、
を備えたことを特徴とするクランクケース構造。
【請求項２】
前記第１側室(26R)内にキック軸(80)が支持されたキック始動機構(８)を備え、
前記オイル排除部(78, 178, 278)は、キック軸(80)方向視で前記キック始動機構(８)のキック駆動ギア(85)と重なる位置に配置されたことを特徴とする請求項１記載のクランクケース構造。
【請求項３】
前記クランク軸(３)および前記変速機(４)の変速機軸(40,41)は、前記内燃機関(１)が車両に搭載された状態で同車両の車幅方向に指向して配置され、
前記クランクケース(２)は、前記一対の鉛直壁(21R, 21L)と、同一対の鉛直壁(21R, 21L)を連結するケース外周壁(22L, 22R)とを備えて構成され、
前記オイル排除部(78, 78’,178, 278, 378, 478)は、前記一対の鉛直壁(21R, 21L)間に連結し且つ前記ケース外周壁(22L, 22R)に連結されることを特徴とする請求項１または請求項２記載のクランクケース構造。
【請求項４】
前記オイル排除部(78, 78’,178, 278, 378)は、前記変速機軸(40, 41)の軸方向に延出する上部壁(73L, 73R)を備えるとともに、同上部壁(73L, 73R)は前記ケース外周壁(22L, 22R)から前記オイル戻り口(74)へ向けて下方に傾斜していることを特徴とする請求項３記載のクランクケース構造。
【請求項５】
キック始動機構(８)のキック軸(80)に支持されたキック駆動ギア(85)と、前記変速機軸(41)に支持されたキック従動ギア(49)とが、前記オイル戻し穴(60)を介して噛合わされたことを特徴とする請求項２記載のクランクケース構造。
【請求項６】
前記第１カバー(25R)に冷却フィン(90)が備えられたことを特徴とする請求項１記載のクランクケース構造。
【請求項７】
前記クランクケース(２)は、前記第１鉛直壁(21R)を有する第１クランクケース(２R)、前記第２鉛直壁(21L)を有する第２クランクケース(２L)からなる２分割された鋳造ケースであり、
前記第１クランクケース(２R)の、前記第１鉛直壁(21R)から互いに同方向に延出する前記ケース外周壁(22R)、隔壁(72R)および上部壁(73R)と、前記第２クランクケース(２L)の、前記第２鉛直壁(21L)から互いに同方向に延出する前記ケース外周壁(22L)、隔壁(72L)および上部壁(73L)とが、合わせ面(27R, 27L)で合わせられて形成され、
前記オイル排除部(78)は、前記第１クランクケース(２R)、第２クランクケース(２L)それぞれの、前記ケース外周壁(22L, 22R)、隔壁(72L, 72R)および上部壁(73L, 73R)を合わせ面で合わせて閉じた中空空間から形成されたことを特徴とする請求項３記載のクランクケース構造。
【請求項８】
前記オイル排除部(78, 78’,178, 278, 378)が、前記隔壁(71L, 71R, 72L, 72R)に連結されていることを特徴とする請求項１記載のクランクケース構造。
【請求項９】
前記オイル排除部(478)が、前記隔壁(71L, 71R, 72L, 72R)に直接連結されていないことを特徴とする請求項１記載のクランクケース構造。
【発明の詳細な説明】
【技術分野】
【０００１】
本発明は、クランクケース下方にオイルパンを備え、その底部にオイル吸入口を備えた内燃機関のクランクケース構造に関する。
【背景技術】
【０００２】
クランクケース下方にオイルパンを備えた内燃機関は、オイルパンに貯留されたオイルを汲み上げて潤滑を必要とする所要潤滑部位に供給する潤滑系を備えている。この潤滑系のオイルポンプによるオイル汲上げ機構は、そのオイル吸入口をオイルパンの底面に近接して設け、オイルパンに貯留されたオイルの量に影響されずに常にオイル吸入口がオイルに完全に浸るようにして空気を吸い込まないようにしている。
空気を吸い込んでしまうと、エア噛みによりオイルポンプの吐出油圧が変動して安定した油圧でオイルを潤滑部位に供給することができなくなる。
【０００３】
そこで、オイル吸入口をオイルパンの底面に近接させているとともに、特に自動二輪車等車両に搭載された内燃機関では車体とともに内燃機関が傾いても、オイル吸入口がオイル面から露出しない程度に十分オイルがオイルパン内に貯留されている。しかし、車体とともに内燃機関が急激に揺動したり、加速・減速が作用する場合は、オイルパン内のオイルのオイル面が変動し、変動が大きいと、瞬間的でもオイル吸入口が露出するおそれがあるので、これを防止しようとすると、オイルを大量に貯留させることになる。
【０００４】
そのため、重量が嵩むとともに、クランク室までオイルが溢れると、クランク軸のクランクウエブがオイルに浸ることで、クランク軸の回転に伴うフリクションが増大するという課題があった。
そこで、例えば、下記特許文献１のように、オイルパン内に略水平に隔壁を形成することで、オイルパンに貯留されたオイルのオイル面の変動を抑えるようにしたものが提案されている。
【先行技術文献】
【特許文献】
【０００５】
【特許文献１】特開２００８−２２３８８０号公報（図４）
【０００６】
上記特許文献１に示された内燃機関は、自動二輪車等の車両に搭載される内燃機関であって、クランク軸を収容するクランクケース内において、クランク軸より後方に変速機を配設した１気筒の４ストロークサイクル内燃機関であり、クランクケースの下方にオイルパンを備えている。
【０００７】
そして、クランクケースの前後のケース外周壁からオイルパンの内側に向けて上下を仕切る下側隔壁がそれぞれ延出して形成されている。また、その前側の下側隔壁の上方には、クランクウエブの回転軌跡に沿って下方に向けて凸に湾曲した上側隔壁が形成されている。それらにより、オイルパンに貯留されたオイルのオイル面の変動を抑制することができる、としている。
【０００８】
前後の下側隔壁は、オイルパンの底面から略同じ高さで、互いに近づく方向に延出しており、両者の延出先端間に大きな開口部が上下の空間を連通して形成されている。
この開口部にオイル吸入ダクトが挿入されて、その下端にオイル吸入口がオイルパンの底面に近接して設けられている。
【０００９】
クランク軸の下方の上側隔壁は、クランク軸を軸支する一対の鉛直壁間に架設されるように形成され、前側のケース外周壁との間に空隙部を有するとともに、途中の下方に湾曲した最低部より若干後方に吐出口部が形成されている。
したがって、上側隔壁の上に溜まるオイルは、専ら吐出口部から丁度前後の下側隔壁間の開口部に向かって流出して、回転するクランクウエブがオイルに浸ることによるクランク軸のフリクションを低減するようにしている。
【発明の概要】
【発明が解決しようとする課題】
【００１０】
しかし、上記特許文献１に示されるものにおいては、内燃機関が大きく傾斜した場合、特に、車体とともに内燃機関が前後左右に傾斜し、また、加速・減速が作用する場合は、オイルパン内のオイル面がその時間中傾くので、容易にオイルが前後の下側隔壁の上方、また、上部隔壁の上方に移動するため、オイルパンのオイル面は著しく低下し、オイル吸入口が露出する恐れがある。また、一旦オイル面の傾きによって隔壁上や、クランクケースとクランクケースカバーとの間等のオイルパン外に移動したオイルの戻りは、遅れがある。それらに対して、オイル吸入口の露出を防止しようとすると、オイルを大量に貯留させることになり、重量が嵩むとともに、クランク室までオイルが溢れると、クランク軸の回転に伴うフリクションが増大するという課題があった。
【００１１】
また、上側隔壁の吐出口部は比較的高い位置にあるとともに、クランクウエブの回転に伴って上側隔壁上のオイルは吐出口部から掻き出されるように流出し、前後の下側隔壁間の開口部に落下するため、泡が発生し易く、その開口部の下方に位置するオイル吸入口に泡が吸入される可能性が高く、エア噛みによりオイルポンプの吐出油圧が不安定になり易かった。
特に、クランク軸にメタルベアリングを採用するためには、所定以上の供給油圧が要求され、オイルポンプを大型化して供給油圧を高くすると、内燃機関が大型化してしまっていた。
【００１２】
本発明は、上記のような課題を解決することを目的とするものであり、内燃機関が振動、傾斜した場合の、オイルパンのオイル面の変動を抑制し、オイル面の低下を抑制するとともに、傾斜によって移動したオイルのオイルパンへの戻りを速やかにして、オイル吸入口の露出を防止し、また、オイルパンへ戻るオイルの泡立ちを抑制して、オイルポンプのエア噛みの発生を防止することができる内燃機関のクランクケース構造を提供することを課題とする。
【課題を解決するための手段】
【００１３】
上記目的を達成するために、請求項１に記載の発明は、クランク軸(３)と変速機(４)を支持し、下部にオイルパン(61)を備えた内燃機関(１)のクランクケース(２)における、前記オイルパン(61)内のオイルをオイルポンプ(62)によって吸引するオイル吸入口(66)を同オイルパン(61)の底部に備えたクランクケース構造において、前記クランク軸(３)または前記変速機(４)を潤滑したオイルを前記オイルパン(61)に戻すオイル戻り口(74)を備え、かつ、前記クランク軸(３)と前記オイルパン(61)、または前記変速機(４)と前記オイルパン(61)との間を仕切る隔壁(71L, 71R, 72L, 72R)と、少なくともその一部が、前記オイルパン(61)に適正量貯留されたオイルの内燃機関停止時のオイル面(Ｓ)より上部に配置されるとともに、前記変速機(４)の被動歯車列(45)に沿う上部壁(73L, 73R, 173L, 173R, 273L, 273R, 473bL, 473bR)を有し、オイル内への埋没時にオイルを排除してオイル面の低下を抑制するオイル排除部(78, 78’,178, 278, 378, 478)と、前記クランク軸(３)を回転可能に支持する第１鉛直壁(21R)および第２鉛直壁(21L)からなる前記クランクケース(２)の一対の鉛直壁と、前記オイル排除部(78, 78’,178, 278, 378, 478)の上縁に沿って前記第１鉛直壁(21R)に形成された開口により構成され、前記オイル排除部(78, 78’,178, 278, 378, 478)周辺のオイルを、前記第１鉛直壁(21R)と同第１鉛直壁(21R)の外側に設けられた第１カバー(25R)とから形成される第１側室(26R)内に排出するオイル戻し穴(60, 75)と、前記隔壁(71L, 71R, 72L, 72R)よりも下方において、前記第１鉛直壁(21R)に形成された開口により構成され、前記第１側室(26R)内のオイルを前記オイルパン(61)に戻すオイルパン連通孔(76)とを備えたことを特徴とする。
【００１４】
請求項２記載の発明は、請求項１記載のクランクケース構造において、前記第１側室(26R)内にキック軸(80)が支持されたキック始動機構(８)を備え、前記オイル排除部(78, 178, 278)は、キック軸(80)方向視で前記キック始動機構(８)のキック駆動ギア(85)と重なる位置に配置されたことを特徴とする。
【００１５】
請求項３記載の発明は、請求項１または請求項２記載のクランクケース構造において、前記クランク軸(３)および前記変速機(４)の変速機軸(40,41)は、前記内燃機関(１)が車両に搭載された状態で同車両の車幅方向に指向して配置され、前記クランクケース(２)は、前記一対の鉛直壁(21R, 21L)と、同一対の鉛直壁(21R, 21L)を連結するケース外周壁(22L, 22R)とを備えて構成され、前記オイル排除部(78, 78’,178, 278, 378, 478)は、前記一対の鉛直壁(21R, 21L)間に連結し且つ前記ケース外周壁(22L, 22R)に連結されることを特徴とする。
【００１７】
請求項４記載の発明は、請求項３記載のクランクケース構造において、前記オイル排除部(78, 78’,178, 278, 378)は、前記変速機軸(40, 41)の軸方向に延出する上部壁(73L, 73R)を備えるとともに、同上部壁(73L, 73R)は前記ケース外周壁(22L, 22R)から前記オイル戻り口(74)へ向けて下方に傾斜していることを特徴とする。
【００１８】
請求項５記載の発明は、請求項２記載のクランクケース構造において、キック始動機構(８)のキック軸(80)に支持されたキック駆動ギア(85)と、前記変速機軸(41)に支持されたキック従動ギア(49)とが、前記オイル戻し穴(60)を介して噛合わされたことを特徴とする。
【００１９】
請求項６記載の発明は、請求項１記載のクランクケース構造において、前記第１カバー(25R)に冷却フィン(90)が備えられたことを特徴とする。
【００２０】
請求項７記載の発明は、請求項３記載のクランクケース構造において、前記クランクケース(２)は、前記第１鉛直壁(21R)を有する第１クランクケース(２R)、前記第２鉛直壁(21L)を有する第２クランクケース(２L)からなる２分割された鋳造ケースであり、前記第１クランクケース(２R)の、前記第１鉛直壁(21R)から互いに同方向に延出する前記ケース外周壁(22R)、隔壁(72R)および上部壁(73R)と、前記第２クランクケース(２L)の、前記第２鉛直壁(21L)から互いに同方向に延出する前記ケース外周壁(22L)、隔壁(72L)および上部壁(73L)とが、合わせ面(27R, 27L)で合わせられて形成され、前記オイル排除部(78)は、前記第１クランクケース(２R)、第２クランクケース(２L)それぞれの、前記ケース外周壁(22L, 22R)、隔壁(72L, 72R)および上部壁(73L, 73R)を合わせ面で合わせて閉じた中空空間から形成されたことを特徴とする。
【００２１】
請求項８記載の発明は、請求項１記載のクランクケース構造において、前記オイル排除部(78, 78’,178, 278, 378)が、前記隔壁(71L, 71R, 72L, 72R)に連結されていることを特徴とする。
また、請求項９記載の発明は、請求項１記載のクランクケース構造において、前記オイル排除部(478)が、前記隔壁(71L, 71R, 72L, 72R)に直接連結されていないことを特徴とする。
【発明の効果】
【００２２】
請求項１の発明のクランクケース構造によれば、内燃機関が振動、傾斜した場合、オイル面の変動、暴れによって、オイルパンのオイルが隔壁を越えても、オイル排除部がオイル内に埋没することにより、オイルパン内のオイル面の低下を抑制して、そのレベルを高く維持でき、オイル吸入口が露出することが防止されて、オイルポンプのエア噛みの発生を防止でき、油圧の変動を抑制することができた。よって、安定した所定以上の供給油圧によって、クランク軸へのメタルベアリング適用が、より好適になった。
また、オイル排除部上のオイルを、オイル戻し穴を介してクランクケース内から一旦第１側室に排出した後、隔壁より下方の低い位置からオイルパン連通孔を介してクランクケース内のオイルパンに戻すので、オイルパン内の泡を低減できるため、より効果的にオイルポンプのエア噛みの発生を防止でき、油圧の変動を抑制することができた。
【００２３】
請求項２の発明によれば、請求項１の発明の効果に加え、オイル排除部が、キック軸方向に見てキック始動機構のキック駆動ギアと重なる位置に配置されたことで、内燃機関の小型化が可能となった。
【００２４】
請求項３の発明によれば、請求項１または請求項２の発明の効果に加え、鉛直壁、ケース外周壁および隔壁を利用してオイル排除部を構成したので、クランクケースの重量増を抑制できる。また、クランクケースのクランク軸および変速機軸を車両の車幅方向に配向させて、内燃機関が車両に搭載されたので、隔壁は、クランク軸とオイルパン、または変速機オイルパンとの間を仕切るため、特に車両前後方向に揺れ、傾斜が大きい車両において、効果的に請求項１の発明の効果を奏することができた。
【００２６】
請求項４の発明によれば、請求項３の発明の効果に加え、上部壁は変速ギアとの干渉を避けつつ、より高い位置に配置させることにより、オイル排除部の大型化が可能となり、また、上部壁の上のオイルはオイル戻り口からスムーズにオイルパンに戻すことができるので、オイル容量を増加させることなくオイルパン内のオイルを確保することができ、内燃機関の小型化、軽量化が図れた。
【００２７】
請求項５の発明によれば、請求項２の発明の効果に加え、キック駆動ギアとキック従動ギアの潤滑を良好にできた。
【００２８】
請求項６の発明によれば、請求項１の発明の効果に加え、オイル戻し孔からオイルパン連通孔へオイルが流れる第１側室を覆う第１カバーの冷却が冷却フィンによって促進されるので、オイルパン内のオイル冷却が促進された。
【００２９】
請求項７の発明によれば、請求項３の発明の効果に加え、オイル排除部を閉じられた中空空間とすることで、クランクケースの剛性を確保しつつ軽量化を図れた。また、ケース外周壁、隔壁および上部壁を同方向に延出させて形成することで、分割ケースとしてのクランクケースを鋳造形成する際に、第１クランクケース、第２クランクケースのそれぞれにオイル排除部の半体を形成することができ、加工工数を増大させることなくオイル排除部を形成することができた。
【００３０】
請求項８および９の発明によっても、請求項１に記載の発明の効果が得られる。
【図面の簡単な説明】
【００３１】
【図１】本発明の実施形態１に係る自動二輪車用内燃機関の、右クランクケースを省略して左クランクケースを内側から見た、右側面断面図である。
【図２】図１のII−II断面展開図である。なお、図１は、図２中I-I矢視断面図に相当する。
【図３】図２中III−III矢視による、実施形態１の右側面外観図であり、細部を省略した、オイル吸入口、オイルポンプ等の位置説明図である。
【図４】左クランクケースを省略して示す、図２中IV−IV矢視による、右クランクケースの左側（内側）面図であり、装着される各軸等は省略し、それらの軸芯位置を示す。
【図５】右クランクケースカバーを省略して示す、図２中V−V矢視による、右クランクケースの右側（外側）面図であり、装着される各軸等は省略し、それらの軸芯位置を示す。
【図６】図４（および図６）中VI−VI矢視による、右クランクケースの縦断面図である。
【図７】図１中VII−VII矢視による、左クランクケースの一部縦断面図である。
【図８】（ａ）は、図２中VIIIａ−VIIIａ矢視による、右クランクケースカバーを右側（外側）から視た右外観図であり、（ｂ）は、（ａ）中VIIIｂ−VIIIｂ矢視による、縦断面図である。
【図９】実施形態１の変形例１のクランクケースの、図１と同様方向で、右クランクケースを省略して左クランクケースを内側から見た、右側面断面部分図である。
【図１０】実施形態１の変形例２のクランクケースの、図１と同様方向で、右クランクケースを省略して左クランクケースを内側から見た、右側面断面部分図である。
【図１１】実施形態１の変形例３のクランクケースの、図１と同様方向で、右クランクケースを省略して左クランクケースを内側から見た、右側面断面部分図である。
【図１２】本発明に係る実施形態２の自動二輪車用内燃機関の、図１と同様方向で、右クランクケースを省略して左クランクケースを内側から見た、右側面断面図である。
【発明を実施するための形態】
【００３２】
以下、本発明の実施形態１に係るクランクケース構造について図１ないし図１１に基づいて説明する。
なお、本明細書の説明および特許請求の範囲における前後左右上下等の向きは、本実施形態に係る内燃機関を自動二輪車等の車両に搭載した状態での車両の向きに従うものとする。図中矢印ＦＲは車両前方を、ＬＨは車両左方を、ＲＨは車両右方を、ＵＰは車両上方を、それぞれ示す。
また、各図の機器、構造部に付記された小矢印は、潤滑用のオイルの流れ方向を模式的に示すものである。
【００３３】
本実施形態に係る内燃機関１は、単気筒の４ストロークサイクル内燃機関であり、図示しない車両、例えば自動二輪車に、そのクランクケース２のクランク軸３および変速機４の軸を車両の車幅方向に配向させて、車両に搭載される。
図１は、本実施形態の車両用の内燃機関１を、図示しない車両に搭載された状態の姿勢で示す。
【００３４】
図１に示されるように、内燃機関１は、車両に搭載された状態において、クランク軸３の軸線Ｙを車両の前後方向に直交させ、車体幅方向に指向させて、クランクケース２に回転自在に軸支すると共に、クランクケース２から上方に向けて、シリンダ軸Ｘを鉛直よりも前傾して突出するシリンダ部５を有する。シリンダ部５は、クランクケース２の斜め上方に、シリンダブロック50およびシリンダヘッド51が順次重ねられて一体に締結され、シリンダヘッド51の上には図示しないシリンダヘッドカバーが被せられて構成される。
【００３５】
クランクケース２から斜め上方に突出したシリンダブロック50にはピストン10が摺動可能に嵌装され、コンロッド11を介してクランク軸３のクランクウエブ30Ｌ，30Ｒ間に架設されるクランクピン31に接続され、ピストン10の動きに応じてクランク軸３を回転駆動する（図２参照）。
【００３６】
シリンダヘッド50の下部、ピストン10の上部には、燃焼室12が形成されている。燃焼室12には、吸気ポート13、排気ポート14が連なり、これらの内端を開閉する吸気弁15および排気弁16が設けられている。
吸気ポート13には、図示しないスロットルボディおよび燃料噴射弁が接続されている。
【００３７】
内燃機関１の、図１中II−II断面展開図である図２に示されるように、クランクケース２は、左右２分割の鋳造ケースで構成され、左クランクケース２Ｌ（本発明の「第２クランクケース」）と右クランクケース２Ｒ（本発明の「第１クランクケース」）の間にケース内空間20が形成されている。
【００３８】
ケース内空間20は、互いに対面する左鉛直壁21Ｌ（本発明の「第２鉛直壁」）、右鉛直壁21Ｒ（本発明の「第１鉛直壁」）間に、左右ケース外周壁22Ｌ、22Ｒ（本発明の「ケース外周壁」）に囲まれて形成される空間であり、クランク軸３のカウンタウエイトを構成するクランクウエブ30Ｌ、30Ｒが収容されるクランク室23と、常時噛合い式歯車変速機を構成する変速機４が収容されるミッション室24とが互いに前後に位置して連通して１つの空間を構成している。
【００３９】
左クランクケース２Ｌと右クランクケース２Ｒのさらに左右外側方を、左クランクケースカバー25Ｌと、右クランクケースカバー25Ｒ（本発明の「第１カバー」）とが覆う。
左クランクケース２Ｌと左クランクケースカバー25Ｌの間には、ＡＣジェネレータ６が収容される左側室26Ｌが形成され、右クランクケース２Ｒと右クランクケースカバー25Ｒとの間には、多板摩擦クラッチ７、キック始動機構８が収容される右側室26Ｒ（本発明の「第１側室」）が形成される。
【００４０】
クランク軸３のクランクウエブ30Ｌ、30Ｒの外側部付け根が、左クランクケース２Ｌと右クランクケース２Ｒの互いに対面する左右鉛直壁21Ｌ、21Ｒに左右メタルベアリング32Ｌ、32Ｒを介して回転自在に軸支される。メタルベアリングの採用には、潤滑オイルの安定した所定以上の供給油圧が求められる。
【００４１】
この左メタルベアリング32Ｌより左方に突出したクランク軸３には、左側室26Ｌ内において、動弁機構のカムチェーン駆動スプロケット33が取り付けられるとともに、左端側にＡＣジェネレータ６が設けられ、ＡＣジェネレータ６は左クランクケースカバー25Ｌにより覆われる。
【００４２】
図２に示されるように、左右クランクケース２Ｌ、２Ｒの左右鉛直壁21Ｌ、21Ｒの後方に延長した両鉛直壁間に、クランク軸３の軸線Ｙと平行に、変速機４のメイン軸40（本発明の「変速機軸」）が左右ベアリング42Ｌ、42Ｒ、カウンタ軸41（本発明の「変速機軸」）が左右ベアリング43Ｌ、43Ｒを介して回転自在に軸支され、メイン軸40に支持された駆動歯車列44とカウンタ軸41に支持された被動歯車列45（本発明の「変速ギア」）とが、各対応する歯車を常時噛み合わせてミッション室24に収容されている。
【００４３】
変速機４のメイン軸40には、右鉛直壁21Ｒを右方に貫通し右側室26Ｒ内に突出した右側部に上記のようにシフトチェンジ用の多板摩擦クラッチ７が組み付けられている。
クランク軸３の回転動力は、クランク軸３側のプライマリ駆動ギア34、多板摩擦クラッチ７側のプライマリ従動ギア46を介して多板摩擦クラッチ７に伝達されるが、多板摩擦クラッチ７は、変速機４のギア切換え中にはクランク軸３の回転動力を変速機４に伝達せずにニュートラル状態とし、変速機４のギア切換えが終了するとともにクランク軸３の回転動力を変速機４に伝達するように構成されている。
【００４４】
カウンタ軸41は、左鉛直壁21Ｌを左方に貫通して外部に突出した左端部に出力スプロケット47が嵌着されており、出力スプロケット47には後輪駆動用チェーン48が巻き掛けられている。
すなわち、本実施形態の内燃機関１は、そのクランクケース２をパワーユニットケースとして所謂パワーユニット100を構成し、カウンタ軸41はパワーユニット100の出力軸となる。
【００４５】
カウンタ軸41には、その右ベアリング43Ｒに近接してミッション室24内に、キック始動機構８により駆動されるキック従動ギア49が嵌合されている。
キック始動機構８のキック軸80は、右側室26Ｒ内においてその左端部81を、右クランクケース２Ｒの右鉛直壁21Ｒの右面（外面）に設けられた左軸受け部82ａに支持され、右側部83は、右クランクケースカバー25Ｒに右軸受け部82ｂを介して支持されるとともに、右クランクケースカバー25Ｒを貫通し、キックアーム84が取り付けられる。
【００４６】
キック軸80には左端部81に隣接して、キック従動ギア49と噛合わされるキック駆動ギア85が嵌合されており、キック従動ギア49とキック駆動ギア85とは、右鉛直壁21Ｒの内側と外側とに分かれて位置しているが、右鉛直壁21Ｒに設けられた開口60（後述の「オイル戻し穴60」）を介して噛合わされる。
【００４７】
図２に示すように、クランク軸３に対してメイン軸40とカウンタ軸41は平行であり、図１に示すように、クランク軸３の後方若干斜め上にメイン軸40が位置し、メイン軸40のさらに後方で若干斜め下にカウンタ軸41が位置している。
【００４８】
メイン軸40の略真下でカウンタ軸41より低い位置にシフトドラム55が配置される。図示しないシフトスピンドルによってシフトドラム55が回動し、シフトフォーク56ａ，56ｂが移動して、変速機４の駆動歯車列44と被動歯車列45の各噛合う歯車対のうち有効に動力伝達する歯車対が選択され変速が行われる。
また、クランク軸３の前方には、バランサウエイト57を備えたバランサ軸58が左右鉛直壁21Ｌ、21Ｒに回転自在に架設され、クランク軸３によって図示しないギアを介して回転駆動される。
【００４９】
また、図１に示すように、クランクケース２は、左右クランクケース２Ｌ，２Ｒの左右ケース外周壁22Ｌ、22Ｒおけるミッション室24の上方が、左右のクランクケース２Ｌ、２Ｒに亘って上方に膨出してブリーザ膨出壁87が形成され、ブリーザ膨出壁87の内部にブリーザ室底壁88によりミッション室24と仕切って、ブリーザ室89が形成されている。
【００５０】
図１は、右クランクケース２Ｒを省略して左クランクケース２Ｌを内側から視た、一部断面とした内燃機関１の右側面（内面）図であり、右クランクケース２Ｒとの合わせ面27Ｌ（格子ハッチで示す部分）が環状（一部シリンダ部分が切り欠かれている）に形成されている。
【００５１】
一方、図４は、左クランクケース２Ｌを省略して右クランクケース２Ｒを内側から視た右クランクケース２Ｒの左側面（内面）図であり、左クランクケース２Ｌとの合わせ面27Ｒ（格子ハッチで示す部分）が環状（一部シリンダ部分が切り欠かれている）に形成されている。
【００５２】
したがって、図１に示す左クランクケース２Ｌの合わせ面27Ｌと、図４に示す右クランクケース２Ｒの合わせ面27Ｒとが突き合わされて、図２に示すような、内部にクランク室23とミッション室24をそなえるケース内空間20が形成される。
【００５３】
なお、図５は、右クランクケース２Ｒの右クランクケースカバー25Ｒを取外した状態の右側面（外面）図であり、右クランクケース２Ｒには、右鉛直壁21Ｒとともに右側面に突出形成された右環状枠壁28Ｒが設けられ、その右側端面には右クランクケースカバー25Ｒとの環状の合わせ面29Ｒ（格子ハッチで示す部分）が形成されている。
右クランクケースカバー25Ｒは、右クランクケース２Ｒの右環状枠壁28Ｒの合わせ面29Ｒに突き合わされて右クランクケース２Ｒの右側を覆い、内部に右側室26Ｒを形成する。
【００５４】
図１、図４に示されるように、左右クランクケース２Ｌ、２Ｒの左右ケース外周壁22Ｌ、22Ｒが、バランサ軸58の前方からクランク軸３の下方および変速機４の下方に回り込んで後方に向かい、変速機４の後方を上方に回り込んで、さらに変速機４の上方に至るようにして外周を覆う。
左右ケース外周壁22Ｌ、22Ｒの内側端面が各合わせ面27Ｌ、27Ｒである。
【００５５】
左右クランクケース２Ｌ、２Ｒは、左右鉛直壁21Ｌ、21Ｒおよび左右ケース外周壁22Ｌ、22Ｒが下方に延出するようにして、クランク室23およびミッション室24の下方に凹出してオイルを貯留するオイルパン61を形成している。
【００５６】
オイルパン61には、常に適正量のオイルが貯留されている必要があり、適正量の貯留オイルの機関停止時の平均的なオイル面Ｓ（以下、本明細書において「停止時オイル面Ｓ」と略記する）を図１および図４に２点鎖線で示す。
内燃機関１が停止しているときに、この停止時オイル面Ｓの上下近傍幅内にオイル面があればオイルは適正量である。
内燃機関１が稼動すると、オイルポンプ62（図３参照）の駆動でオイルパン61内のオイルが汲み上げられて各潤滑部位に供給されるので、稼動時オイル面は図１、図４に示す停止時オイル面Ｓの高さよりずっと低い位置となる。
【００５７】
図４に示すように、右クランクケース２Ｒの内面には、オイルパン61の底面の前半部の上方に右ケース外周壁22Ｒの前側壁から後方に右鉛直壁21Ｒに一体に連結されながら延出してオイル吸入通路右上壁63Ｒが底面に沿って形成されている。
オイル吸入通路右上壁63Ｒは、左クランクケース２Ｌに対称的に形成されたオイル吸入通路左上壁63Ｌ（図１参照）と当接されて、オイルパン61の底面との間にオイル吸入通路64が形成される。
その際、オイル吸入通路左右上壁63Ｌ、63Ｒの後端がオイルパン61の底面との間で形成する扁平矩形開口はオイル吸入通路左右後壁65Ｌ、65Ｒで左右が塞がれ、中央にオイル吸入口66が形成される（図６参照）。
【００５８】
図５に示す右クランクケース2Ｒの右鉛直壁21Ｒの右側面（外面）には、右環状枠壁28Ｒ内を扁平矩形に穿孔した矩形孔67が形成され、矩形孔67にオイルストレーナ68が装填される。
矩形孔67の下方は、オイル吸入通路右上壁63Ｒの下縁に沿って右鉛直壁21Ｒに穿孔されたオイル連通路69（図４参照）を介して、オイル吸入通路64に連通している。
矩形孔67の右端開口は、右クランクケース2Ｒの右側面を塞いで取り付けられる右クランクケースカバー25Ｒによって閉塞されるとともに、矩形孔67の上方は、右クランクケース２Ｒの右鉛直壁21Ｒと右クランクケースカバー25Ｒの内面との間に設けられたオイルポンプ62（図３参照）に連通している。
【００５９】
したがって、図３に示すように、内燃機関１が稼動してオイルポンプ62が駆動されオイルを吸入すると、クランクケース２内のオイルパン61の底面近くのオイルが、オイル吸入口66からオイル吸入通路64へ流入し、オイル連通路69を介して矩形孔67内に吸入されるとともに、矩形孔67内に装填されたオイルストレーナ68を通過して濾過され、オイルポンプ62に吸入される。なお、本実施形態のオイルポンプ62はトロコイドポンプである。
しかる後、オイルポンプ62で加圧され吐出したオイルは、オイルフィルタ70等を経て各潤滑部位に供給される。
【００６０】
また、図１に示すように、左クランクケース２Ｌの内面には、クランク軸３とオイルパン61との間を仕切るように、クランク軸３のカウンタウエイトを備えたクランクウエブ30Ｌ、30Ｒの下方を上下に仕切る高さで、左ケース外周壁22Ｌの前側壁から後方に向けてバランサ軸18の下方を経てクランクウエブ30Ｌ、30Ｒの回転軌跡の外周縁に沿って下方に向けて凸に湾曲しながら左前側隔壁（クランク軸側隔壁）71Ｌが延出している。左前側隔壁71Ｌは下部が停止時オイル面Ｓに若干浸る程度であり、少なくともその一部、本実施形態ではその後端側が、停止時オイル面Ｓより上方に位置させてある。
【００６１】
また、変速機４とオイルパン61との間を仕切るように、停止時オイル面Ｓの下方を上下に仕切る高さで、左ケース外周壁22Ｌの後側壁から前方に左前側隔壁71Ｌに向けて左後側隔壁（変速機側隔壁）72Ｌが延出しているとともに、左後側隔壁72Ｌより上方で左ケース外周壁22Ｌの後側壁から前方に向けて、変速機４の被動歯車列45に沿って下方を、左上部壁73Ｌが延出している。
左上部壁73Ｌは、大部分が停止時オイル面Ｓの上方にあって停止時オイル面Ｓに対して前方下向きに傾斜しており、その前方端で、左後側隔壁72Ｌの前方端と連結している。左ケース外周壁22Ｌと左後側隔壁72Ｌと左上部壁73Ｌとは、互いに連結して略三角環状の閉じた壁体を形成し、その壁体の頂部は合わせ面27Ｌと同一面をなしている。
【００６２】
左後側隔壁72Ｌと左上部壁73Ｌの前端の結合部と、左前側隔壁71Ｌの後端とは、所定間隔離れていて、この間にシフトドラム55が配置される。
【００６３】
図４に示されるように、右クランクケース２Ｒの内面には、左クランクケース２Ｌの内面の左前側隔壁71Ｌと左後側隔壁72Ｌと左上部壁73Ｌに対称的に、右前側隔壁71Ｒと右後側隔壁72Ｒと右上部壁73Ｒとが形成されている。
【００６４】
したがって、左クランクケース２Ｌと右クランクケース２Ｒが合体すると、左右前側隔壁71Ｌ、71Ｒが互いの合わせ面を当接して同一面をなす一体の前側隔壁（本発明の「隔壁」）を構成する。
また、左右後側隔壁72Ｌ、72Ｒが互いの合わせ面を当接して同一面をなす一体の後側隔壁（本発明の「隔壁」）を構成し、左右上部壁73Ｌ、73Ｒが互いの合わせ面を当接して同一面をなす一体の上部壁（本発明の「上部壁」）を構成する。
【００６５】
そのため、左クランクケース２Ｌの、左鉛直壁21Ｌから互いに同じく変速機４の軸方向で右方向に延出する左ケース外周壁22Ｌ、左後側隔壁72Ｌおよび左上部壁73Ｌと、右クランクケース２Ｒの、右鉛直壁21Ｒから互いに同じく変速機４の軸方向で左方向に延出する右ケース外周壁22Ｒ、右後側隔壁72Ｒおよび左上部壁73Ｒとが、合わせ面で合わせられて閉じた空間が形成され、オイル排除部78を構成する。
したがって、オイル排除部78は空間となるため、クランクケース２の強度を確保しつつ軽量化がなされる。
【００６６】
オイル排除部78は、左右後側隔壁72Ｌ、72Ｒと連結して、その後部の大部分が、停止時オイル面Ｓより上部に配置されている。
そのため、内燃機関１が後方向に傾斜した場合、オイル面の後方への移動等の変動、暴れによって、オイルパン61のオイルが左右後側隔壁72Ｌ、72Ｒを越えても、オイル排除部78がオイル内に埋没することにより、オイルパン61内のオイル面の低下を抑制する。また、内燃機関１が横方向に傾斜した場合も、オイル排除部78がオイル内に埋没した部分が同様の効果を奏する。
したがって、オイルパン61内のオイルのレベルを高く維持でき、オイル吸入口66が露出することが防止されて、オイルポンプ62のエア噛みの発生を防止でき、油圧の変動を抑制することができる。
【００６７】
なお、左右前側隔壁71Ｌ、71Ｒの後端側は、停止時オイル面Ｓより上方に位置しているので、内燃機関１が前方向に傾斜した場合、オイル面の前方への移動等の変動、暴れによって、オイルパン61のオイルが左右前側隔壁72Ｌ、72Ｒを越えたとき、後端側がオイル内に埋没することにより、オイルパン61内のオイル面の低下を抑制する前側オイル排除部78′（本発明の「オイル排除部」）としての機能を有する。内燃機関１が横方向に傾斜した場合も、前側オイル排除部78′がオイル内に埋没した部分が同様の効果を奏する。
【００６８】
図９〜図１１に本実施形態のクランクケース構造の変形例１〜３を示す。
各変形例は、オイル排除部78、または前側オイル排除部78′の変形例を示すものであり、それ以外は本実施形態と同様である。
【００６９】
上記実施形態１が、左クランクケース２Ｒの左ケース外周壁22Ｌ、左後側隔壁72Ｌおよび左上部壁73Ｌが閉じた環状壁を形成し、右クランクケース２Ｒも対応する同様環状壁を形成して、閉じた空間をなすオイル排除部78を構成するのに対して、図９に示す変形例１においては、左クランクケース２Ｌにおいて、左ケース外周壁22Ｌの一部を切り欠いて、左後側隔壁172Ｌ（本発明の「隔壁」）と左上部壁173Ｌ（本発明の「上部壁」）との間がクランクケース２の外部に開いた凹部をなし、右クランクケース２Ｒにおいてもそれと対応する同様構造とすることで、オイル排除部178を構成したものである。
そのようなオイル排除部178によって、上記実施形態１と同様のオイル面低下防止の効果を奏するとともに、クランクケース２の軽量化、小型化が可能となる。
【００７０】
図１０に示す変形例２においては、左クランクケース２Ｌにおいて、左ケース外周壁22Ｌと左後側隔壁272Ｌ（本発明の「隔壁」）と左上部壁273Ｌ（本発明の「上部壁」）との間を一体に鋳造等で中実構造に形成し、右クランクケース２Ｒにおいてもそれと対応する同様構造とすることで、オイル排除部278を構成したものである。
そのようなオイル排除部278によって、上記実施形態１と同様のオイル面低下防止の効果を奏するとともに、金属材料を多く用いたことによりクランクケース２の冷却性を向上させ、内燃機関１の重心を下げることができる。
【００７１】
図１１に示す変形例３においては、左クランクケース２Ｌにおいて、上記実施形態１のオイル排除部78に加え、左前側隔壁371Ｌ（本発明の「隔壁」）の下部を厚く形成して、右クランクケース２Ｒにおいてもそれと対応する同様構造とすることで、前側オイル排除部378（本発明の「オイル排除部」）を構成したものである。
実施形態１において、左右前側隔壁71Ｌ、71Ｒの後端部は停止時オイル面Ｓより上方に位置しており、左右前側隔壁71Ｌ、71Ｒ自体が一定の前側オイル排除部78′としての機能を有していたが、本変形例３においてはより容積の大きい前側オイル排除部378が構成されたので、内燃機関１が前方向に傾斜した場合、オイル面の前方への移動等の変動、暴れによって、オイルパン61のオイルが左右前側隔壁を越えても、前側オイル排除部378がオイル内に埋没することにより、オイルパン61内のオイル面の低下を抑制する。内燃機関１が横方向に傾斜した場合も、前側オイル排除部378がオイル内に埋没した部分が同様の効果を奏する。
したがって、オイルパン61内のオイルのレベルを高く維持でき、オイル吸入口66が露出することが防止されて、オイルポンプ62のエア噛みの発生を防止でき、油圧の変動を抑制することができる。
【００７２】
上記の変形例１〜３は、そのままの態様に限られず、可能な何らかの組み合わせの態様によって実施することができ、例えば、変形例３は変形例２または３と組み合わせて実施できる。
【００７３】
なお、本実施形態のオイル排除部78は、左クランクケース２Ｌ側では、左ケース外周壁22Ｌ、左後側隔壁72Ｌおよび左上部壁73Ｌに囲まれた範囲の左クランクケース２Ｌの全幅に亘って形成されるが（図２参照）、右クランクケース２Ｒでは、図４に示すように、前述のキック始動機構８のキック軸80が、キック軸80方向に見て、右ケース外周壁22Ｒ、右後側隔壁72Ｒおよび左上部壁73Ｒに囲まれたオイル排除部78の領域に重なって位置している。
【００７４】
そのため、右クランクケース２Ｒの右鉛直壁21Ｒの右面（外面）に設けられたキック軸80の左軸受け部82ａの背面が、左クランクケース２Ｌとの合わせ面近くに位置し（図２参照）している。
また、キック軸80には、キック駆動ギア85が左軸受け部82ａ右側に隣接して嵌合されているので、オイル排除部78は、キック軸80方向に見て（キック軸方向視で）キック始動機構８のキック駆動ギア85と重なる位置に配置されており、右鉛直壁21Ｒがキック駆動ギア85をかわすように左方向に段差をなして膨出している。
したがって、右クランクケース２Ｒ側のオイル排除部78は幅方向に浅く形成されている。
【００７５】
以上のようなキック軸80の配置と、キック駆動ギア85周りの右鉛直壁21Ｒの左方向に段差をなして膨出している形状によって、キック従動ギア49とキック駆動ギア85とは、右鉛直壁21Ｒの内側と外側とに分かれて位置しているが、右鉛直壁21Ｒの段差部に設けられた開口60を介して噛合わされ、クランクケース２の、ひいては内燃機関１の小型化に寄与する（図２参照）。また、開口60は、ミッション室24内等を潤滑し、カウンタ軸41の下方において左右上部壁73Ｌ、73Ｒ上に至ったオイルを、速やかに右側室26Ｒに排出するオイル戻し穴60（本発明の「オイル戻し穴」）となる。
そのため、キック従動ギア49とキック駆動ギア85は、オイル戻し穴60を通るオイルによって良好に潤滑される。
【００７６】
また、左右後側隔壁72Ｌ、72Ｒと左右上部壁73Ｌ、73Ｒの前端の連結部と、前側隔壁71の後端とは、所定間隔離れていて矩形開口をなし、クランク軸３または変速機４を潤滑したオイルをオイルパン61に戻すオイル戻り口74が構成される。オイル戻り口74は、オイル吸入口66の上方に位置する。また、オイル戻り口74にはシフトドラム55が矩形開口を塞ぐような位置に配置される（図１参照）。したがって、オイル戻り口74からオイルパン61に流下するオイルは、シフトドラム55によって流下速度、流下量が減じられて、左右後側隔壁72Ｌ、72Ｒと左右上部壁73Ｌ、73Ｒ上に至ったオイルは、オイル戻し穴60や下記の右前側オイル戻し穴75から多くが右側室26Ｒに排出され、比較的高い位置にあるオイル戻り口74から直接のオイル流下によるオイルの泡立ちが抑制される。
【００７７】
図４に示されるように、右クランクケース２Ｒの右鉛直壁21Ｒにおいて、下方に湾曲した右前側隔壁71Ｒの上面に沿った最も低い部分に前後に２つ右前側オイル戻し穴75（散点を施した部分）が穿設されている。右前側オイル戻し穴75（本発明の「オイル戻し穴」）は、クランク室23と右クランクケースカバー25Ｒ内の右側室26Ｒとを連通する（図５参照）。
【００７８】
さらに、右鉛直壁21Ｒにおいて、オイル戻り口74の下方部分にオイルパン連通孔76（散点を施した部分）が穿設されており、オイルパン連通孔76（本発明の「オイルパン連通孔」）は、右クランクケース２Ｒを外側（右側）から視た図５に示されるように、右環状枠壁28Ｒの下側部分の上面に沿って形成されている。
【００７９】
したがって、クランク室23内等を潤滑して左右前側隔壁71Ｌ、71Ｒ上に至ったオイルは、右前側オイル戻し穴75を介して速やかに右側室26Ｒに排出され、右側室26Ｒ内を流下して環状枠壁28Ｒの下側部分の上面に至る。
しかるのち、右側室26Ｒ内を潤滑したオイルと、前述の、ミッション室24内を潤滑し、左右上部壁73Ｌ、73Ｒ上からオイル戻し穴60を介して右側室26Ｒに排出され右側室26Ｒ内を流下したオイルと、ともにオイルパン連通孔76からオイルパン61に戻される。
したがって、多くのオイルが、比較的低い位置で、オイル吸入口66の側方に位置するオイルパン連通孔76からオイルパン61に流し込まれるので、オイルの泡立ちが抑制される。
【００８０】
また、図１に示すように、左クランクケース２Ｌの左鉛直壁21Ｌにおいて左前側隔壁71Ｌの下側に左前側オイル戻し穴77（散点を施した部分）が穿設されている。図７に示すように、左前側オイル戻し穴77は、左クランクケース２Ｌと左クランクケースカバー25Ｌとの間の左側室26Ｌの最下部に連通しており、左側室26Ｌ内のＡＣジェネレータ６等を潤滑したオイルは速やかにクランクケース２内の下部に流下し、オイルパン61に戻る。
【００８１】
上記のように、クランクケース２のケース内空間20（クランク室23、ミッション室24）内を潤滑したオイルのうち、オイル戻り口74からオイルパン61に直接戻るオイル以外の大部分は、右前側オイル戻し穴75、オイル戻し穴60から、右側室26Ｒに排出され、右側室26Ｒ内を流下して、オイルパン連通孔76からオイルパン61に戻される。
【００８２】
特に、クランク室23側を潤滑後のオイルは殆ど右前側オイル戻し穴75から排出されるので、オイルが流下する右側室26Ｒを形成する右クランクケースカバー25Ｒの右前側オイル戻し穴75の位置に近いその前方部分は、十分な冷却を行い、オイルの冷却を図ることが好ましい。
そこで本実施形態のクランクケース構造においては、図８に示すように、右クランクケースカバー25Ｒの多板摩擦クラッチ７に対応する位置より前方、すなわち右前側オイル戻し穴75の位置に近いクランク室23に対応する側の外面に冷却フィン90が設けられている。また、冷却フィン90の間は、右クランクケースカバー25Ｒの左方向（内側方向）に凹んだ溝部91に形成されて、右クランクケースカバー25Ｒの冷却（空冷）効果を高めている。
【００８３】
本実施形態１に係るクランクケース構造は、以上のように構成されているので、以下のような効果を奏する。
図１および図４において、内燃機関１の停止時における平均的なオイル面、停止時オイル面Ｓ（停止時オイル面Ｓ）が示されているが、内燃機関１が稼動中は、各潤滑部位にオイルが供給されて、オイル面は相当程度低くなり、例えば、左右前側隔壁71Ｌ、71Ｒおよび左右後側隔壁72Ｌ、72Ｒより低く位置することになり、このようにオイルパン61に貯留されたオイルが車体とともに内燃機関１の揺れで流動しても、左右前側隔壁71Ｌ、71Ｒおよび左右後側隔壁72Ｌ、72Ｒによりオイル面が抑えられて、オイルの流動が効果的に抑制される。
【００８４】
特に加減速時等や車両が前後に傾いた時、オイルパン61内のオイルが前後に大きく揺れる場合、左右ケース外周壁22Ｌ、22Ｒの前側壁内面に連結している左右前側隔壁71Ｌ、71Ｒによって、オイルが左右ケース外周壁22Ｌ、22Ｒの前側壁内面に沿って遡ってクランク室23内に移動するのを阻止することができる。また、左右ケース外周壁22Ｌ、22Ｒの後側壁内面に連結している左右後側隔壁72Ｌ、72Ｒによって、オイルが左右ケース外周壁21Ｌ、21Ｒの後側壁内面に沿って遡ってミッション室24内に移動し、さらにはブリーザ室89内に至ることを阻止することができる。そのため、クランク軸３、バランサ軸58、および変速機４のフリクションの増大を可及的に抑制することができる。
【００８５】
さらに、左右前側隔壁71Ｌ、71Ｒと左右後側隔壁72Ｌ、72Ｒとによって、オイル面の移動が抑えられることで、オイルパン61の底面に沿ったオイル吸入口66が露出することが防止され、オイルポンプ62がオイル吸入口66から空気を吸ってエア噛を生じるのを防止することができる。
【００８６】
そして、本実施形態のクランクケース構造で特徴的なことは、クランク軸３と変速機４を支持し、下部にオイルパン61を備えた内燃機関１のクランクケース２における、オイルパン61内のオイルをオイルポンプ62によって吸引するオイル吸入口66をオイルパン61の底部に備えたクランクケース構造において、クランク軸３または変速機４を潤滑したオイルをオイルパン61に戻すオイル戻り口74を備えつつ、クランク軸３とオイルパン61との間を仕切る隔壁（左右前側隔壁71Ｌ、71Ｒ）、または変速機４とオイルパン61との間を仕切る隔壁（左右後側隔壁72Ｌ、72Ｒ）と、各隔壁に連結して、少なくともその一部が、停止時オイル面Ｓより上部に配置されるオイル排除部78、78′、178、278、378とを備えたことである。
そのため、内燃機関１が振動、傾斜した場合、オイル面の変動、暴れによって、オイルパン61のオイルが各隔壁71Ｌ、71Ｒ、72Ｌ、72Ｒを越えても、オイル排除部78、78′、178、278、378がオイル内に埋没することにより、オイルパン61内のオイル面の低下を抑制して、そのレベルを高く維持でき、オイル吸入口66が露出することが防止されて、オイルポンプ62のエア噛みの発生を防止でき、油圧の変動を抑制することができた。よって、安定した所定以上の供給油圧によって、クランク軸３への左右メタルベアリング32Ｌ、32Ｒ適用が、より好適になった。
【００８７】
またさらに、クランクケース２とクランクケース２の外側に設けられた右クランクケースカバー25Ｒとから形成される右側室26Ｒ内にキック軸80が支持されたキック始動機構８を備え、オイル排除部78、178、278は、キック軸80方向に見てキック始動機構８のキック駆動ギア85と重なる位置に配置された。
そのため、内燃機関１の小型化が可能となった。
【００８８】
また、クランク軸３および変速機４のメイン軸40、カウンタ軸41は、内燃機関１が車両に搭載された状態で車両の車幅方向に指向して配置され、クランクケース２は、クランク軸３およびメイン軸40、カウンタ軸41を回転可能に支持する右鉛直壁21Ｒおよび左鉛直壁21Ｌからなる一対の鉛直壁と、一対の鉛直壁21Ｌ、21Ｒを連結する左右ケース外周壁22Ｌ、22Ｒとを備えて構成され、オイル排除部78、78′、178、278、378は、一対の鉛直壁21Ｌ、21Ｒ間に連結し且つ左右ケース外周壁22Ｌ、22Ｒに連結されている。
そのため、左右鉛直壁21Ｌ、21Ｒ、左右ケース外周壁22Ｌ、22Ｒ、および左右前側隔壁71Ｌ、71Ｒまたは左右後側隔壁72Ｌ、72Ｒを利用してオイル排除部78、78′、178、278、378を構成したので、クランクケース２の重量増を抑制できる。また、クランクケース２のクランク軸３およびメイン軸40、カウンタ軸41を車両の車幅方向に配向させて、内燃機関１が車両に搭載されたので、各隔壁は、クランク軸３とオイルパン61、または変速機４とオイルパン61との間を仕切るため、特に車両前後方向に揺れ、傾斜が大きい車両において、効果的にその効果を奏することができた。
【００８９】
また、オイル排除部78、78′、178、278、378の上縁に沿って右鉛直壁21Ｒに形成された開口をなし、オイル排除部周辺のオイルを、右鉛直壁21Ｒと右鉛直壁の外側に設けられた右クランクケースカバー25Ｒとから形成される右側室26Ｒ内に排出するオイル戻し穴60、75と、左右前側隔壁71Ｌ、71Ｒまたは左右後側隔壁72Ｌ、72Ｒよりも下方において、右鉛直壁21Ｒに形成された開口をなし、右側室26Ｒ内のオイルをオイルパン61に戻すオイルパン連通孔76とを備えた。
そのため、オイル排除部78、78′、178、278、378上のオイルを、オイル戻し穴60、75を介してクランクケース２内から一旦右側室26Ｒに速やかに排出した後、各隔壁より下方の低い位置からオイルパン連通孔76を介してクランクケース２内のオイルパン61に戻すので、オイルパン61内の泡を低減できるため、より効果的にオイルポンプ62のエア噛みの発生を防止でき、油圧の変動を抑制することができた。
【００９０】
また、オイル排除部78、178、278は、変速機４の被動歯車列45の下方に配置され、メイン軸40、カウンタ軸41の軸方向に延出する左右上部壁73Ｌ、73Ｒを備えるとともに、左右上部壁73Ｌ、73Ｒは左右ケース外周壁22Ｌ、22Ｒからオイル戻り口74へ向けて下方に傾斜している。
そのため、左右上部壁73Ｌ、73Ｒは被動歯車列45との干渉を避けつつ、より高い位置に配置させることにより、オイル排除部78、178、278の大型化が可能となり、また、左右上部壁73Ｌ、73Ｒの上のオイルはオイル戻り口74からスムーズにオイルパンに戻すことができるので、オイル容量を増加させることなくオイルパン61内のオイルを確保することができ、内燃機関の小型化、軽量化が図れた。
【００９１】
また、キック始動機構８のキック軸80に支持されたキック駆動ギア85と、カウンタ軸41に支持されたキック従動ギア49とが、オイル戻し孔60を介して噛合わされた。
そのため、キック駆動ギア85とキック従動ギア49の潤滑を良好にできた。
【００９２】
また、右クランクケースカバー25Ｒに冷却フィン90が備えられた。
そのため、右前側オイル戻し穴75、オイル戻し穴60からオイルパン連通孔76へオイルが流れる右側室26Ｒを覆う右クランクケースカバー25Ｒの冷却が冷却フィン90によって促進されるので、オイルパン61内のオイル冷却が促進された。
【００９３】
また、クランクケース２は、右鉛直壁21Ｒを有する右クランクケース２Ｒ、左鉛直壁21Ｌを有する左クランクケース２Ｌからなる２分割された鋳造ケースであり、右クランクケース２Ｒの、右鉛直壁21Ｒから互いに同方向に延出する右ケース外周壁22Ｒ、右後側隔壁72Ｒおよび右上部壁73Ｒと、左クランクケース2Ｌの、左鉛直壁21Ｌから互いに同方向に延出する左ケース外周壁22Ｌ、左後側隔壁72Ｌおよび左上部壁73Ｌとが、合わせ面27Ｒ、27Ｌで合わせられて形成され、オイル排除部78は、右クランクケース２Ｒ、左クランクケース２Ｌそれぞれの、左右ケース外周壁22Ｌ、22Ｒ、左右後側隔壁72Ｌ、72Ｒおよび左右上部壁73Ｌ、73Ｒを合わせ面で合わせて閉じた中空空間を形成する。
そのため、オイル排除部78を閉じられた中空空間とすることで、クランクケース２の剛性を確保しつつ軽量化を図れた。また、左右ケース外周壁22Ｌ、22Ｒ、左右後側隔壁72Ｌ、72Ｒおよび左右上部壁73Ｌ、73Ｒをそれぞれ同方向に延出させて形成することで、分割ケースとしてのクランクケース２を鋳造形成する際に、右クランクケース２Ｒ、左クランクケース２Ｌのそれぞれにオイル排除部78の半体を形成することができ、加工工数を増大させることなくオイル排除部78を形成することができた。
【００９４】
次に、図１２に基づき、本発明の実施形態２に係るクランクケース構造について説明する。
実施形態２のクランクケース構造は、図１２に示すオイル排除部478の態様以外は、実施形態１と同様であり、本実施形態のオイル排除部478について特筆する作用効果以外は、実施形態１と同様の作用効果を奏するので、実施形態１と異なる構成、作用効果につき説明し、他は記載省略する。
実施形態２における各部位の符号は、実施形態１のものと対応するが異なる部位については、実施形態１の符号と下２桁を同じくする４００番台の符号を付し、他は同じ符号を付して説明を省略する。
【００９５】
上記実施形態１のオイル排除部７8は、左右クランクケース２Ｌ、２Ｒの、左右後側隔壁72Ｌ、72Ｒに左右上部壁73Ｌ、73Ｒが連結して形成されるのに対して、図１２に示すように、本実施形態２のオイル排除部478は、左右後側隔壁72Ｌ、72Ｒと直接連結せずに形成される。
【００９６】
本実施形態における左後側隔壁72Ｌは、停止時オイル面Ｓの下方を上下に仕切る高さで、左ケース外周壁22Ｌの後側壁から前方に延出する。
また、左後側隔壁72Ｌと間隔を空けた上方で、左ケース外周壁22Ｌの後側壁から前方に向けて左後中間壁473ａＬが延出するとともに、さらにその上方において左ケース外周壁22Ｌの後側壁から前方に向けて、変速機４の被動歯車列45に沿って下方を、シフトフォーク56ｂとの干渉を避けた形状で、左後上部壁473ｂＬが延出し、左後中間壁473ａＬと左後上部壁473ｂＬとの前端部（図示右端部）は連結している。
また、左後上部壁473ｂＬは、大部分が停止時オイル面Ｓの上方にある。
【００９７】
したがって、左クランクケース２Ｒにおいて、左ケース外周壁22Ｌ、左後中間壁473ａＬ、左後上部壁473ｂＬは、閉じた環状壁を形成し、右クランクケース２Ｒも対応する同様環状壁を形成しており、左右クランクケース２Ｌ、２Ｒが一体に合わせられると、閉じた空間をなすオイル排除部478が構成される。
【００９８】
本実施形態２に係るクランクケース構造は、以上のように構成されているので、以下のような効果を奏する。
すなわち、実施形態２において特徴的なことは、クランク軸３と変速機４を支持し、下部にオイルパン61を備えた内燃機関１のクランクケース２における、オイルパン61内のオイルをオイルポンプ62によって吸引するオイル吸入口66をオイルパン61の底部に備えたクランクケース構造において、クランク軸３または変速機４を潤滑したオイルをオイルパン61に戻すオイル戻り口74を備えつつ、クランク軸３とオイルパン61との間を仕切る隔壁（左右前側隔壁71Ｌ、71Ｒ）、または変速機４とオイルパン61との間を仕切る隔壁（左右後側隔壁72Ｌ、72Ｒ）と、各隔壁と直接連結せず、クランクケース２に一体成形され、少なくともその一部が、オイルパンに適正量貯留されたオイルの内燃機関停止時のオイル面Ｓより上部に配置される閉空間をなすオイル排除部478とを備えたことである。
【００９９】
そのため、上記実施形態１と同様に、内燃機関１が振動、傾斜した場合、オイル面の変動、暴れによって、オイルパン61のオイルが各隔壁71Ｌ、71Ｒ、72Ｌ、72Ｒを越えても、オイル排除部478がオイル内に埋没することにより、オイルパン61内のオイル面の低下を抑制して、そのレベルを高く維持でき、オイル吸入口66が露出することが防止されて、オイルポンプ62のエア噛みの発生を防止でき、油圧の変動を抑制することができた。よって、安定した所定以上の供給油圧によって、クランク軸３へのメタルベアリング32Ｌ、32Ｒ適用が、より好適になった。
【０１００】
そしてさらに、本実施形態２においては、オイル排除部478が各隔壁71Ｌ、71Ｒ、72Ｌ、72Ｒとは直接連結しない閉空間として形成されたので、各隔壁の前後方向長さに関わらず、オイル排除部478を形成することができ、オイル排除部478の形状および配置を最適化することができ、クランクケース２の重量増大の抑制も可能となった。
【０１０１】
以上のように、本発明のクランクケース構造によれば、内燃機関１が搭載される車両の傾斜、振動にかかわらず、オイル吸入口66から空気が吸入されるのをできる限り防止し、オイルパン61のオイル面の低下を抑制できるので、オイルポンプ62がエア噛みを発生するのを回避し、オイルポンプ62の吐出油圧の変動を抑え安定させることができる、そのため、クランク軸３等の軸受に安定した所定以上の供給油圧が要求されるメタルベアリング32Ｌ、32Ｒを採用することが、より好適になった。
【０１０２】
本発明は、上記実施形態で示された態様に限定されることはなく、その要旨の範囲で多様な形態の実施を含むものであり、例えば、上記実施形態１に示されるものと実施形態２に示されるものを可能な態様で組み合わせたものを含むことは勿論であり、さらに本発明のクランクケース構造を実施する内燃機関は、実施形態の自動二輪車に搭載されるものに限らず、同様に振動、傾斜の問題を有する車両用内燃機関に広く適用できるものであり、気筒数も単気筒に限らず、車両搭載の態様もクランク軸が車幅方向のみならず、車体前後方向に配置される内燃機関においても適用できる。
【符号の説明】
【０１０３】
１…内燃機関、２…クランクケース、２Ｌ…左クランクケース（第２クランクケース）、２Ｒ…右クランクケース（第１クランクケース）、３…クランク軸、４…変速機、５…シリンダ部、６…ＡＣジェネレータ、７…多板摩擦クラッチ、８…キック始動機構、９…10…ピストン、11…コンロッド、12…燃焼室、13…吸気ポート、14…排気ポート、15…吸気弁、16…排気弁、20…ケース内空間、21Ｌ…左鉛直壁（第２鉛直壁）、21Ｒ…右鉛直壁（第１鉛直壁）、22Ｌ…左ケース外周壁（ケース外周壁）、22Ｒ…右ケース外周壁（ケース外周壁）、23…クランク室、24…ミッション室、25Ｌ…左クランクケースカバー、25Ｒ…右クランクケースカバー（第１カバー）、26Ｌ…左側室、26Ｒ…右側室（第１側室）、27Ｌ…合わせ面、27Ｒ…合わせ面、28Ｒ…右環状枠壁、29Ｒ…合わせ面、30Ｌ…クランクウエブ、30Ｒ…クランクウエブ、31…クランクピン、32Ｌ…左メタルベアリング、32Ｒ…右メタルベアリング、33…カムチェーン駆動スプロケット、34…プライマリ駆動ギア、40…メイン軸（変速機軸）、41…カウンタ軸（変速機軸）、42Ｌ…左ベアリング、42Ｒ…右ベアリング、43Ｌ…左ベアリング、43Ｒ…右ベアリング、44…駆動歯車列、45…被動歯車列（変速ギア）、46…プライマリ従動ギア、47…出力スプロケット、48…後輪駆動用チェーン、49…キック従動ギア、50…シリンダブロック、51…シリンダヘッド、55…シフトドラム、56ａ…シフトフォーク、56ｂ…シフトフォーク、57…バランサウエイト、58…バランサ軸、60…開口（オイル戻し穴）、61…オイルパン、62…オイルポンプ、63Ｌ…オイル吸入通路左上壁、63Ｒ…オイル吸入通路右上壁、64…オイル吸入通路、65Ｌ…オイル吸入通路左後壁、65Ｒ…オイル吸入通路右後壁、66…オイル吸入口、67…矩形孔、68…オイルストレーナ、69…オイル連通路、70…オイルフィルタ、71Ｌ…左前側隔壁（隔壁）、71Ｒ…右前側隔壁（隔壁）、72Ｌ…左後側隔壁（隔壁）、72Ｒ…右後側隔壁（隔壁）、73Ｌ…左上部壁（上部壁）、73Ｒ…右上部壁（上部壁）、74…オイル戻り口、75…右前側オイル戻し穴（オイル戻し穴）、76…オイルパン連通孔、77…左前側オイル戻し穴、78…オイル排除部、78′…前側オイル排除部（オイル排除部）、80…キック軸、81…左端部、82ａ…左軸受け部、82ｂ…右軸受け部、83…右側部、84…キックアーム、85…キック駆動ギア、87…ブリーザ膨出壁、88…ブリーザ室底壁、89…ブリーザ室、90…冷却フィン、91…溝部、100…パワーユニット、172Ｌ…左後側隔壁（隔壁）、173Ｌ…左上部壁（上部壁）、178…オイル排除部、272Ｌ…左後側隔壁（隔壁）、273Ｌ…左上部壁（上部壁）、278…オイル排除部、371Ｌ…左前側隔壁（隔壁）、378…前側オイル排除部（オイル排除部）、473ａＬ…左後中間壁、473ｂＬ…左後上部壁、478…オイル排除部
【図１】
0005513925.tif 000002
【図２】
0005513925.tif 000003
【図３】
0005513925.tif 000004
【図４】
0005513925.tif 000005
【図５】
0005513925.tif 000006
【図６】
0005513925.tif 000007
【図７】
0005513925.tif 000008
【図８】
0005513925.tif 000009
【図９】
0005513925.tif 000010
【図１０】
0005513925.tif 000011
【図１１】
0005513925.tif 000012
【図１２】
0005513925.tif 000013